(57)【要約】      （修正有）【課題】被検者に与える不快感を軽減することができるマウスピースを提供する。【解決手段】マウスピース１は、被検者の口腔Ｂ内に挿入される筒状部３と、筒状部３の食道側端部から突出する共に内周側に挿入された内視鏡２を口腔Ｂ内で口蓋Ｅ側に湾曲させることにより舌根部Ｈを迂回して食道Ｃに案内するガイド部８とを備える。ガイド部８は食道側端部の舌Ｆ側から口蓋Ｅ側に隆起する隆起部１２を備え、隆起部１２は内視鏡２を案内して口腔Ｂ内で口蓋Ｅ側に湾曲させる。【選択図】図１
2015119998.tif 000002
【特許請求の範囲】
【請求項１】
被検者の口腔内に挿入される筒状部と、該筒状部の食道側端部から突出すると共に内周側に挿入された内視鏡を口腔内で口蓋側に湾曲させることにより舌根部を迂回して食道に案内するガイド部とを備えるマウスピースにおいて、
該ガイド部は筒状であって食道側端部の舌側から口蓋側に隆起する隆起部を備え、該隆起部は該内視鏡を案内して口腔内で口蓋側に湾曲させることを特徴とするマウスピース。
【請求項２】
請求項１記載のマウスピースにおいて、前記ガイド部は、食道側端部の口蓋側に、前記隆起部により口腔内で口蓋側に案内された前記内視鏡が保持される湾入部を備えることを特徴とするマウスピース。
【請求項３】
請求項１又は請求項２記載のマウスピースにおいて、前記ガイド部は、前記筒状部の口唇側端部から外方に突出する把持部を備え、該把持部を操作することにより該筒状部に対して回動自在とされると共に、該筒状部に対して所定の位置で係止自在とされていることを特徴とするマウスピース。
【発明の詳細な説明】
【技術分野】
【０００１】
本発明は、内視鏡用マウスピースに関する。
【背景技術】
【０００２】
従来、経鼻内視鏡、経口内視鏡等の内視鏡を経口的に食道に挿入する際の補助具として、被検者に咽頭反射を起こさせることなく挿入することができるマウスピースが提案されている。
【０００３】
前記マウスピースは、被検者の口腔内に挿入される筒状部と、該筒状部に内嵌されるガイド部とを備えており、該ガイド部は該筒状部の食道側端部から口腔内に突出すると共に、舌側から口蓋方向に向けて後ろ上がりに湾曲した形状を備えている。前記マウスピースによれば、前記内視鏡を前記ガイド部の内周側に挿通することにより、該内視鏡を該ガイド部の形状に沿って口腔内で口蓋側に湾曲させ、舌根部を迂回して食道に挿入することができる（例えば特許文献１参照）。
【０００４】
従って、前記マウスピースによれば、舌根部を迂回して食道に挿入することにより、被検者に咽頭反射を起こさせることを防止することができる。
【先行技術文献】
【特許文献】
【０００５】
【特許文献１】特開２００８−２８９５２０号公報
【発明の概要】
【発明が解決しようとする課題】
【０００６】
しかしながら、前記従来のマウスピースは、前記ガイド部が前記筒状部の食道側端部から突出し、口蓋側に向けて大きく湾曲した形状を備えているので、口腔内に挿入する際に口蓋等に接触し、被検者に不快感を与えることがあるという不都合がある。
【０００７】
本発明は、かかる不都合を解消して、被検者に与える不快感を軽減することができるマウスピースを提供することを目的とする。
【課題を解決するための手段】
【０００８】
かかる目的を達成するために、本発明は、被検者の口腔内に挿入される筒状部と、該筒状部の食道側端部から突出すると共に内周側に挿入された内視鏡を口腔内で口蓋側に湾曲させることにより舌根部を迂回して食道に案内するガイド部とを備えるマウスピースにおいて、該ガイド部は筒状であって食道側端部の舌側から口蓋側に隆起する隆起部を備え、該隆起部は該内視鏡を案内して口腔内で口蓋側に湾曲させることを特徴とする。
【０００９】
本発明のマウスピースでは、筒状の前記ガイド部の食道側端部に前記隆起部を備えており、前記内視鏡は該隆起部に案内されて口腔内で口蓋側に湾曲されることにより、舌根部を迂回して食道に案内される。この結果、前記ガイド部は口蓋側に向けて湾曲した形状を備える必要がなく、前記筒状部の食道側端部からの突出量を低減することができる。
【００１０】
従って、本発明のマウスピースによれば、従来のマウスピースに比較して全長を短くすることができ、口腔内に挿入する際に口蓋等に接触することを防止して、被検者に与える不快感を軽減することができる。
【００１１】
本発明のマウスピースにおいて、前記ガイド部は、食道側端部の口蓋側に、前記隆起部により口腔内で口蓋側に案内された前記内視鏡が保持される湾入部を備えることが好ましい。
【００１２】
前記内視鏡の経口的挿入は、通常、被検者を左側臥位として行われる。この場合、前記隆起部により口腔内で口蓋側に案内された前記内視鏡が重力方向にずれることが懸念される。
【００１３】
そこで、本発明のマウスピースは、前記ガイド部の食道側端部の口蓋側に前記湾入部を備え、該湾入部により前記内視鏡を保持することにより、該内視鏡が重力方向にずれることを防止することができる。
【００１４】
また、本発明のマウスピースにおいて、前記ガイド部は、前記筒状部の口唇側端部から外方に突出する把持部を備え、該把持部を操作することにより該筒状部に対して回動自在とされると共に、該筒状部に対して所定の位置で係止自在とされていることが好ましい。
【００１５】
前記内視鏡の経口的挿入は、上述のように通常は被検者を左側臥位として行われるが、検査の必要に応じて右側臥位で行う場合もある。また、検査中に、被検者の姿勢を変える必要を生じる場合もある。このような場合、前記内視鏡を一旦抜去して再挿入を行うと、被検者の負担が増加する虞がある。
【００１６】
そこで、本発明のマウスピースは、前記把持部を操作して前記ガイド部を回動させると共に、前記筒状部に対して所定の位置で係止する。このようにすることにより、前記内視鏡を一旦抜去して再挿入を行うことなく、該内視鏡の方向を変えることができ、被検者の負担増加を防止することができる。
【図面の簡単な説明】
【００１７】
【図１】本発明のマウスピースの使用形態を示す説明的断面図。
【図２】本発明のマウスピースの一実施形態の構成を示す正面図。
【図３】図２のＩＩＩ−ＩＩＩ線説明的断面図。
【図４】図３の矢示方向から見た平面図。
【図５】本発明のマウスピースの他の実施形態の構成を示す説明的断面図。
【図６】本発明のマウスピースのさらに他の実施形態の構成を示す正面図。
【図７】図６のＶＩＩ−ＶＩＩ線説明的断面図。
【図８】図６及び図７に示すマウスピースの作動説明図。
【発明を実施するための形態】
【００１８】
次に、添付の図面を参照しながら本発明の実施の形態についてさらに詳しく説明する。
【００１９】
図１に示すように、本実施形態のマウスピース１は、被検者の口唇Ａ側から口腔Ｂ内に挿入して、内視鏡２を食道Ｃに案内するために使用される。ここで口腔Ｂ内には、口腔Ｂと鼻腔Ｄとを隔てる口蓋Ｅがあり、口蓋Ｅに対向して舌Ｆがある。そして、口腔Ｂと鼻腔Ｄとの合流部に食道Ｃ及び気管Ｇが開口しており、食道Ｃと舌Ｆとの間に舌根部Ｈがある。
【００２０】
マウスピース１は、図２に示すように、筒状部３の口唇側端部における開口部４の周囲から外方に延在するフランジ部５を備え、フランジ部５の両側に固定用ベルト（図示せず）が挿通されるベルト挿通孔６が形成されている。また、ベルト挿通孔６の側方には、前記固定用ベルトの調節孔に押入されて該固定用ベルトを係止する係止突起７が設けられている。
【００２１】
開口部４の直径は、内視鏡２の外径に応じて適宜調整することができ、例えば、１３〜１６ｍｍの範囲で調整することができる。フランジ部５は、口唇Ａを覆うことができる大きさを備えており、歯茎に当って被検者に不快感を与えないようにされている。また、ベルト挿通孔６は、前記固定ベルトが挿通されると共に、唾液吸引チューブ（図示せず）を口腔Ｂ内に挿入することができる大きさに形成されている。ベルト挿通孔６をこのような大きさとすることにより、内視鏡検査中に口腔Ｂ内に溜まった唾液を前記唾液吸引チューブにより容易に吸引することができる。
【００２２】
筒状部３は、図３に示すように、内周側にガイド部材８が嵌合されると共に、舌Ｆ側に食道側端部９から外方に延在する板状の圧舌子１０を備えている。ガイド部材８は、直管状（直線状の筒状体）であり、食道側端部１１において舌Ｆ側から口蓋Ｅ側に隆起する隆起部１２を備えている。
【００２３】
隆起部１２は、図１に示すように筒状部３の開口部４からガイド部材８の内周側に挿入された内視鏡２を案内して口腔Ｂ内で口蓋Ｅ側に湾曲させるために、食道側端部１１側から内部に向けて緩やかなスロープを備えている。また、隆起部１２の高さは、内視鏡２の外径に応じて適宜調整することができ、例えば、１．０〜５．０ｍｍの範囲とすることができる。
【００２４】
また、ガイド部材８は、図４に示すように、湾入部１３を備えている。湾入部１３はガイド部材８の食道側端部１１に開口する幅の狭い湾口と、その奥の幅の広い部分とからなる。湾入部１３は、図１に示すように隆起部１２により口蓋Ｂ側に案内された内視鏡２を前記広い部分に保持して、内視鏡２が重力方向にずれることを防止する。
【００２５】
また、ガイド部材８は、図５に示すように、湾入部１３を備えない構成であってもよい。
【００２６】
また、マウスピース１は、図６及び図７に示すように、ガイド部材８が筒状部３を貫通して回動自在とされると共に、筒状部３の口唇側端部における開口部４から外方に突出する把持部１４を備える構成とされていてもよい。この場合、ガイド部材８は、外周面に突起部１５を備えており、筒状部３の開口部４の周囲に設けられた係止部１６ａ，１６ｂ，１６ｃのいずれかに突起部１５を係合させることにより、筒状部３に対して所定の位置で係止される。係止部１６ａ，１６ｂ，１６ｃは、開口部４の中心角で例えば３０〜６０°の間隔で設けられており、係止部１６ａを中心として、左に係止部１６ｂ、右に係止部１６ｃが設けられている。図６では、係止部１６ａ，１６ｂ，１６ｃの３か所の係止部を設けているが、該係止部はさらに多数であってもよい。
【００２７】
図６及び図７に示すマウスピース１では、図８に示すように、把持部１４を把持して、突起部１５と係止部１６ａ，１６ｂ，１６ｃのいずれかとの係合が解除される位置までガイド部材８を引き出した後、筒状部３に対してガイド部材８を回動せしめる。そして、新たな係止位置まで回転させた後、ガイド部材８を筒状部３内に押し込むことにより、突起部１５を係止部１６ａ，１６ｂ，１６ｃのいずれかとの係合させることにより、ガイド部材８を筒状部３に対して係止する。
【００２８】
例えば、初期状態として、突起部１５が中央の係止部１６ａに係合されているときには、把持部１４を把持して、突起部１５と係止部１６ａとの係合が解除される位置までガイド部材８を引き出した後、筒状部３に対してガイド部材８を左右いずれかに回動せしめる。そして、突起部１５が係止部１６ｂ，１６ｃのいずれかに係止される位置まで回転させた後、ガイド部材８を筒状部３内に押し込むことにより、突起部１５を係止部１６ｂ，１
６ｃのいずれかとの係合させる。
【００２９】
図６及び図７に示すマウスピース１によれば、内視鏡２の経口的挿入を右側臥位で行う場合、或いは左側臥位と右側臥位とに拘わらず検査中に被検者の姿勢を変えた場合に、内視鏡２を一旦抜去して再挿入を行うことなく、内視鏡２の方向を変えることができる。
【符号の説明】
【００３０】
１…マウスピース、  ２…内視鏡、  ３…筒状部、  ８…ガイド部材、  １２…隆起部、  １３…湾入部、  １４…把持部。
【図１】
2015119998.tif 000003
【図２】
2015119998.tif 000004
【図３】
2015119998.tif 000005
【図４】
2015119998.tif 000006
【図５】
2015119998.tif 000007
【図６】
2015119998.tif 000008
【図７】
2015119998.tif 000009
【図８】
2015119998.tif 000010